(57)【要約】【課題】風防の裏側に配置されるアンテナが視認されない電波時計を提供する。【解決手段】電波時計は、時計用の風防または、前記風防およびベゼルを含むベゼル組立体であって、前記風防の回転位置を示す目印を有し、その裏側面に、前記風防の外縁に沿って配置され円環でないアンテナと、前記アンテナの表側からの視認を妨げる目隠し層と、を有する時計用の風防またはベゼル組立体と、前記アンテナに裏側から電気的または電磁気的に接続される接続子とを含む。【選択図】図３
2018021773.tif 000002
【特許請求の範囲】
【請求項１】
時計用の風防または、前記風防およびベゼルを含むベゼル組立体であって、前記風防の回転位置を示す目印を有し、その裏側面に、前記風防の外縁に沿って配置され円環でないアンテナと、前記アンテナの表側からの視認を妨げる目隠し層と、を有する時計用の風防またはベゼル組立体と、
前記アンテナに裏側から電気的または電磁気的に接続される接続子と、
を備えた電波時計。
【請求項２】
請求項１に記載の電波時計において、
前記目印は、前記風防の裏側からも視認できる、
電波時計。
【請求項３】
請求項２に記載の電波時計において、
前記目印は、前記目隠し層の端にある切欠きまたは前記目隠し層にある孔である、
電波時計。
【請求項４】
請求項１に記載の電波時計において、
前記目印は、前記目隠し層と前記風防との間に配置され、
前記目隠し層に前記目印と異なり前記風防の裏側から視認できるアンテナ用目印が配置される、
電波時計。
【請求項５】
請求項４に記載の電波時計において、
前記アンテナ用目印は、前記目隠し層にある孔または切欠きであり、
前記目印と前記アンテナ用目印とは平面視で重なっている、
電波時計。
【請求項６】
請求項４に記載の電波時計において、
前記目隠し層は、前記アンテナ用目印と前記風防との間に配置される、
電波時計。
【請求項７】
請求項６に記載の電波時計において、
前記アンテナ用目印は、平面視で前記アンテナを囲む、
電波時計。
【請求項８】
時計の風防または、前記風防およびベゼルを含むベゼル組立体の裏側に、表側から視認でき前記風防または前記ベゼル組立体の回転位置を示す目印を付した後に前記風防の裏側に目隠し層を付すか、または、前記風防の裏側に前記表側から視認できる目印を備える目隠し層を付し、
前記目隠し層の裏側に円環でないアンテナを前記風防の外縁にそって、前記目印と所定の位置関係となるように配置し、
前記風防を胴またはベゼルに対し、前記目印に基づいて所定の位置関係となるように組み付けるか、または、前記ベゼル組立体を胴に対し、前記目印に基づいて所定の位置関係となるように組み付ける、
電波時計の製造方法。
【請求項９】
請求項８に記載の電波時計の製造方法であって、
前記風防を、前記風防の固定位置を特定可能な治具に固定し、
前記目印または前記目印を備えた前記目隠し層は、前記風防が前記治具に固定された状態で付され、
前記アンテナは、前記風防が前記治具に固定された状態で配置される、
電波時計の製造方法。
【請求項１０】
請求項８に記載の電波時計の製造方法であって、
前記風防を、前記風防の固定位置を特定可能な治具に固定し、
前記目印または前記目印を備えた前記目隠し層は、前記風防が前記治具に固定された状態で付され、
アンテナ用目印を、前記風防が前記治具に固定された状態で付し、
前記アンテナは、前記アンテナ用目印と所定の位置関係となるように配置される、
電波時計の製造方法。
【請求項１１】
風防の裏側に目隠し層を付した後に、前記目隠し層の裏側に回転対称でないアンテナを前記風防の外縁にそって配置し、
ベゼルの表側に前記ベゼルの回転位置を示す表側目印を付し、前記ベゼルの裏側に前記目印と所定の位置関係を有する裏側目印を付し、
前記ベゼルに、前記風防に配置されたアンテナが前記裏側目印と所定の位置関係となるように前記風防を組み付け、
前記表側目印に基づいて、前記ベゼルを胴に対し、所定の位置関係となるように組み付ける、
電波時計の製造方法。
【発明の詳細な説明】
【技術分野】
【０００１】
本発明は、衛星等から信号を受信する携帯型電波時計、およびその携帯型電波時計の製造方法に関する。
【背景技術】
【０００２】
ＧＰＳ（Global Positioning System）等を構成する衛星からの送信信号に含まれる時刻情報を受信して時刻を修正する携帯型の電波時計が実用に供されている。電波の受信のためのアンテナの種類および配置は、時計の機能を損なわず、かつ必要な受信感度が得られるように決定されている。
【０００３】
特許文献１の図８には、風防ガラスの外周縁の裏側に無給電素子４２３（アンテナ）を配置することが開示されている。無給電素子４２３は、誘電体上に形成された円弧状の給電素子４１０により非接触で給電される。
【先行技術文献】
【特許文献】
【０００４】
【特許文献１】特開２０１４−１６３６６６号公報
【発明の概要】
【発明が解決しようとする課題】
【０００５】
風防（例えば風防ガラス）の裏側に円環でない（回転体でない）アンテナを配置する場合、アンテナが受信した信号を受信回路へ向かう接続回路に伝達するために、風防の回転方向の位置をあわせる必要がある。特許文献１に記載の発明では、風防の表側からアンテナを視認することで風防の位置をあわせることが可能である。一方、アンテナが風防の表側から視認できると、美観を損ねる場合があった。
【０００６】
本発明は上記課題を鑑みてなされたものであり、その課題は風防の裏側に配置されるアンテナが視認されないようにすることである。
【課題を解決するための手段】
【０００７】
（１）時計用の風防または、前記風防およびベゼルを含むベゼル組立体であって、前記風防の回転位置を示す目印を有し、その裏側面に、前記風防の外縁に沿って配置され円環でないアンテナと、前記アンテナの表側からの視認を妨げる目隠し層と、を有する時計用の風防またはベゼル組立体と、前記アンテナに裏側から電気的または電磁気的に接続される接続子と、を備えた電波時計。
【０００８】
（２）（１）において、前記目印は、前記風防の裏側からも視認できる、電波時計。
【０００９】
（３）（２）において、前記目印は、前記目隠し層の端にある切欠きまたは前記目隠し層にある孔である、電波時計。
【００１０】
（４）（１）において、前記目印は、前記目隠し層と前記風防との間に配置され、前記目隠し層に前記目印と異なり前記風防の裏側から視認できるアンテナ用目印が配置される、電波時計。
【００１１】
（５）（４）において、前記アンテナ用目印は、前記目隠し層にある孔または切欠きであり、前記目印と前記アンテナ用目印とは平面視で重なっている、電波時計。
【００１２】
（６）（４）において、前記目隠し層は、前記アンテナ用目印と前記風防との間に配置される、電波時計。
【００１３】
（７）（６）において、前記アンテナ用目印は、平面視で前記アンテナを囲む、電波時計。
【００１４】
（８）時計の風防または、前記風防およびベゼルを含むベゼル組立体の裏側に、表側から視認でき前記風防または前記ベゼル組立体の回転位置を示す目印を付した後に前記風防の裏側に目隠し層を付すか、または、前記風防の裏側に前記表側から視認できる目印を備える目隠し層を付し、前記目隠し層の裏側に円環でないアンテナを前記風防の外縁にそって、前記目印と所定の位置関係となるように配置し、前記風防を胴またはベゼルに対し、前記目印に基づいて所定の位置関係となるように組み付けるか、または、前記ベゼル組立体を胴に対し、前記目印に基づいて所定の位置関係となるように組み付ける、電波時計の製造方法。
【００１５】
（９）（８）において、前記風防を、前記風防の固定位置を特定可能な治具に固定し、前記目印または前記目印を備えた前記目隠し層は、前記風防が前記治具に固定された状態で付され、前記アンテナは、前記風防が前記治具に固定された状態で配置される、電波時計の製造方法。
【００１６】
（１０）（８）において、前記風防を、前記風防の固定位置を特定可能な治具に固定し、前記目印または前記目印を備えた前記目隠し層は、前記風防が前記治具に固定された状態で付され、アンテナ用目印を、前記風防が前記治具に固定された状態で付し、前記アンテナは、前記アンテナ用目印と所定の位置関係となるように配置される、電波時計の製造方法。
【００１７】
（１１）風防の裏側に目隠し層を付した後に、前記目隠し層の裏側に回転対称でないアンテナを前記風防の外縁にそって配置し、ベゼルの表側に前記ベゼルの回転位置を示す表側目印を付し、前記ベゼルの裏側に前記目印と所定の位置関係を有する裏側目印を付し、前記ベゼルに、前記風防に配置されたアンテナが前記裏側目印と所定の位置関係となるように前記風防を組み付け、前記表側目印に基づいて、前記ベゼルを胴に対し、所定の位置関係となるように組み付ける、電波時計の製造方法。
【発明の効果】
【００１８】
本発明によれば、風防の裏側に配置されるアンテナが視認されないようにできる。
【図面の簡単な説明】
【００１９】
【図１】第１の実施形態にかかる衛星電波腕時計の一例を示す平面図である。
【図２】図１に示される衛星電波腕時計のII−II切断線における断面図である。
【図３】図１にかかる風防ガラス、インデックス、目隠し層、アンテナの配置を説明する図である。
【図４】図１にかかる風防ガラスを裏側からみた平面図である。
【図５Ａ】衛星電波腕時計の製造工程の一例を説明する図である。
【図５Ｂ】衛星電波腕時計の製造工程の一例を説明する図である。
【図６】風防ガラスの他の一例を示す平面図である。
【図７】図６に示す風防ガラスのVII−VII切断線における断面図である。
【図８】風防ガラス、インデックス、目隠し層、アンテナの配置の他の一例を説明する図である。
【図９】風防ガラス、インデックス、目隠し層、アンテナの配置の他の一例を説明する図である。
【図１０】図９に示す風防ガラスを裏側から見た部分平面図である。
【図１１】インデックスの他の一例を示す図である。
【図１２】風防ガラスの他の一例を示す平面図である。
【図１３】図１２に示す風防ガラスのXIII−XIII切断線における断面図である。
【図１４Ａ】衛星電波腕時計の製造工程の他の一例を説明する図である。
【図１４Ｂ】衛星電波腕時計の製造工程の他の一例を説明する図である。
【図１５】第２の実施形態にかかる衛星電波腕時計の一例を示す平面図である。
【図１６】図１５にかかるベゼルおよび風防ガラスを裏側からみた平面図である。
【図１７】図１５に示される衛星電波腕時計のXVII−XVII切断線における断面図である。
【図１８Ａ】衛星電波腕時計の製造工程の一例を説明する図である。
【図１８Ｂ】衛星電波腕時計の製造工程の一例を説明する図である。
【図１８Ｃ】衛星電波腕時計の製造工程の一例を説明する図である。
【図１８Ｄ】衛星電波腕時計の製造工程の一例を説明する図である。
【図１９Ａ】衛星電波腕時計の製造工程の他の一例を説明する図である。
【図１９Ｂ】衛星電波腕時計の製造工程の他の一例を説明する図である。
【発明を実施するための形態】
【００２０】
以下、本発明の実施の形態について、図面を参照しながら詳細に説明する。以下では本発明の実施形態にかかる衛星電波腕時計１について説明する。衛星電波腕時計１は、時刻情報を含んだ衛星電波を受信し、当該受信された衛星電波に含まれる時刻情報を用いて自身が計時している時刻の修正や測位を行う。
【００２１】
［第１の実施形態］
図１は、本発明の第１の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。風防ガラス３１は、例えばサファイヤガラス等の透明材料を含む。胴３８およびベゼル３２は、風防ガラス３１および裏蓋３９に挟まれている。以下では、衛星電波腕時計１の中心から風防ガラス３１へ向かう向きを上、裏蓋３９へ向かう向きを下と表記する。風防ガラス３１が衛星電波腕時計１に組み付けられた状態において、外側を構成する面を表側の面、内側を構成する面を裏側の面と記載する。
【００２２】
胴３８は金属からなり、上から下へ貫通する穴を有する。ベゼル３２は胴３８の穴の上端の形状に応じたリング状の部材であり、ベゼル３２はその穴の上端にはめ込まれることで胴３８に接続されている。ここでベゼル３２は、金属で構成してもよいし、高誘電材（例えばセラミックス）で構成しても良く、金属と高誘電材を組み合わせた構成としても良い。また裏蓋３９は金属からなり胴３８の穴の下端の形状に応じた平面を有し、裏蓋３９は胴３８の穴の下端にはめ込まれている。風防ガラス３１は、ベゼル３２の開口の上端の形状に応じた平面形状を有し、ベゼル３２のその開口の上端にはめ込まれている。風防ガラス３１とベゼル３２とは非導電性のパッキン３３を介して接しており、非導電性のパッキン３３により風防ガラス３１が固定されている。またベゼル３２と胴３８とは非導電性のパッキン３７を介して接しており、パッキン３７によりベゼル３２が胴３８に固定されている。また、胴３８のうち所定の位置から突出するように、竜頭３６が組み付けられている。
【００２３】
図３は、図１にかかる風防ガラス３１、インデックス７１、目隠し層６１、アンテナ１０ａ，１０ｂの立体的な配置を説明する図である。図３は、風防ガラス３１、インデックス７１、目隠し層６１、アンテナ１０ａ，１０ｂの上下方向の順序を示すための図である。図３では、風防ガラス３１の層、インデックス７１の層、目隠し層６１、アンテナ１０ａ，１０ｂの層が上下方向に離間するように記載されているが、実際には隣り合う層は互いに接しており、隣り合わない層であっても間に他の層がない場合は互いに接している。
【００２４】
図１から３に示す風防ガラス３１の裏側の面には、その周縁にインデックス７１が印刷されている。図１の例では、インデックス７１は時字である。また、風防ガラス３１の裏側の面には、風防ガラス３１の周縁にそって環状の目隠し層６１も印刷されている。目隠し層６１はインデックス７１より下側にあり、インデックス７１は目隠し層６１と風防ガラス３１との間に配置されている。目隠し層６１は、非導電性の材質から構成され、アンテナ１０ａ，１０ｂと接したときにアンテナ特性に影響を与えることが無い。また、仮に目隠し層６１の風防ガラス側にインデックスのための金属蒸着層を設けた場合であっても、アンテナ１０ａ，１０ｂと接触する面は非導電性の材質で構成されるため、アンテナ１０ａ，１０ｂのアンテナ特性に影響を与えることは無い。
【００２５】
目隠し層６１には、目印として切欠き７５が設けられている。切欠き７５の位置は、図１の例では１２時と６時の位置に設けられている。また、ベゼル３２の上面であり、かつ切欠き７５に隣接する位置に、上部目印７６が配置されている。切欠き７５および上部目印７６は、風防ガラス３１をベゼル３２にはめ込む際に用いられるが、詳細については後述する。
【００２６】
また、衛星電波腕時計１は、アンテナ１０ａ，１０ｂ、２本の導電ピン４１、リング状の見返しリング３４、文字板５１、時針５２ａ、分針５２ｂ及び秒針５２ｃ、ソーラーセル５３、地板５４、配線基板４３、回路基板４７、モーターを含む。これらは、風防ガラス３１、ベゼル３２、胴３８、裏蓋３９に囲まれた空間に配置されている。
【００２７】
図４は、図１にかかる風防ガラス３１を裏側からみた平面図である。アンテナ１０ａ，１０ｂは、目隠し層６１の下側の面に配置され、かつ平面的にみて目隠し層６１に重なり風防ガラス３１の周縁に沿って延びるように配置されている。なお、目隠し層６１の切欠き７５とアンテナ１０ａ，１０ｂは平面視で重なっていない。アンテナ１０ａ，１０ｂを目隠し層６１の裏側に配置することにより、アンテナ１０ａ，１０ｂが風防ガラス３１の表側から視認されないようにすることができる。
【００２８】
図４の例では、アンテナ１０ａ，１０ｂのそれぞれは円弧状であり、風防ガラス３１の裏側の面に貼り付けられている。ここで、実際には、アンテナ１０ａ，１０ｂを誘電体である風防ガラス３１に貼り付けることで、アンテナ１０ａ，１０ｂと風防ガラス３１とがアンテナとして機能する。以下では説明の便宜上「アンテナ」は１０ａ，１０ｂを指すこととする。アンテナ１０ａ，１０ｂは衛星から送信される衛星信号を受信する。本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。なお、アンテナ１０ａ，１０ｂは円環ではなく、風防ガラス３１の回転方向の軸についての回転体ではない。
【００２９】
アンテナ１０ａ，１０ｂのそれぞれの一方の端部は、導電ピン４１と接触する。導電ピン４１はいわゆるプローブピンであり、アンテナ１０ａ，１０ｂからの信号を受け、受信回路へと伝える接続子の一種である。導電ピン４１の数はアンテナ１０ａ，１０ｂの数と同じである。導電ピン４１は、対応するアンテナ１０ａ，１０ｂに、それらの裏側から電気的に接続される。アンテナ１０ａ，１０ｂが受信した電波のアナログ信号は、導電ピン４１を介して受信回路へ入力される。導電ピン４１の両端はスプリングにより伸縮し、導電ピン４１の上端はアンテナ１０ａ，１０ｂの一端に接触している。また導電ピン４１の下端は配線基板４３上に設けられた接続端子に接触している。導電ピン４１は、見返しリング３４および地板５４により、平面視における位置を固定されている。アンテナ１０ａ，１０ｂからみて、導電ピン４１は、風防ガラス３１から遠ざかる方向に延びている。
【００３０】
受信回路は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成する。時針５２ａ、分針５２ｂ、及び秒針５２ｃは、モーターおよび輪列を含む駆動機構により回転し、現在時刻を表示する。駆動機構は、生成されたビット列に含まれる時刻情報やクロックの信号に基づいて制御される。なお、導電ピン４１の代わりに、アンテナ１０ａ，１０ｂと離間しつつ隣接する接続子が、そのアンテナ１０ａ，１０ｂの下に配置されてもよい。この接続子は、受信回路から給電されるとともに、円弧状の電磁結合部がアンテナ１０ａ，１０ｂと電磁気的に接続することで、アンテナ１０ａ，１０ｂにより受信された信号を受信回路へと伝達する。
【００３１】
図１から３に示される衛星電波腕時計１では、アンテナ１０ａ，１０ｂと導電ピン４１（接続子）とを適切な位置に接触させる必要がある。一方、風防ガラス３１を表側からみると、目隠し層６１によりアンテナ１０ａ，１０ｂの位置は視認できず、アンテナ１０ａ，１０ｂそのものを用いて位置合わせすることは難しい。以下では、衛星電波腕時計１を製造する際に、アンテナ１０ａ，１０ｂが配置された風防ガラス３１と導電ピン４１との位置を合わせる方法について説明する。
【００３２】
図５Ａ，５Ｂは、衛星電波腕時計１の製造工程の一例を説明する平面図である。はじめに、風防ガラス３１を治具に固定し、風防ガラス３１の裏側の面にインデックス７１を印刷する（図５Ａ参照）。この治具は、風防ガラス３１の固定位置と、印刷装置へ固定される部分とが定まっている。これにより、印刷の際に治具に固定された風防ガラス３１の位置が特定できる。
【００３３】
次に、インデックス７１が印刷された風防ガラス３１の裏側の面に目隠し層６１を印刷する（図５Ｂ参照）。ここで、目隠し層６１には切欠き７５が設けられており、図５Ｂに示される切欠き７５は、風防ガラス３１の表側および裏側の両方から目印として視認される。この切欠き７５は、風防ガラス３１をベゼル３２等に組み付ける際の回転位置を示す目印となる。なお、目隠し層６１は、印刷ではなく反射率を高める表面加工により設けられてもよい。また目隠し層６１を印刷した後に、治具から風防ガラス３１を取り外してよい。
【００３４】
次に、切欠き７５を位置合わせの目印として利用しつつ、風防ガラス３１のうち目隠し層６１の裏側にアンテナ１０ａ，１０ｂを貼り付ける。図４に示される風防ガラス３１は、本工程が終わった状態のものと同じである。目隠し層６１は平面視で風防ガラス３１の外縁にそって設けられているので、アンテナ１０ａ，１０ｂも風防ガラス３１の周縁にそって設けられる。また切欠き７５を用いた位置合わせにより、切欠き７５とアンテナ１０ａ，１０ｂとは、所定の位置関係を有するように配置される。ここで、所定の位置関係とは、風防ガラス３１の中心から見た切欠き７５の角度とアンテナ１０ａ，１０ｂの角度との差が予め定められた一定の範囲に収まることである。
【００３５】
そして、切欠き７５を位置合わせの目印として利用しつつ、ベゼル３２に風防ガラス３１を組み付ける。この際、例えば、ベゼル３２に設けられた上部目印７６と、目隠し層６１の切欠き７５との位置を合わせるように風防ガラス３１をベゼル３２に組み付ける。これにより、風防ガラス３１はベゼル３２と所定の位置関係となるように組み付けられる。ここで、予めベゼル３２は胴３８に組み付けられ、ベゼル３２の上部目印７６と導電ピン４１とが所定の位置関係を有する。すると、風防ガラス３１の切欠き７５を目印として位置合わせすることで、切欠き７５と所定の位置関係を有するアンテナ１０ａ，１０ｂと、ベゼル３２と所定の位置関係を有する導電ピン４１との位置を合わせることが可能になる。これにより、目隠し層６１を有していても、アンテナ１０ａ，１０ｂと、導電ピン４１とを適切に接触させることが可能になる。なお、インデックス７１と切欠き７５とが平面視で重なることにより、切欠き７５が目立たないようになっている。
【００３６】
なお、胴３８が、ベゼル３２と一体化されていてもよい。この場合、上記工程では、切欠き７５を位置合わせの目印として利用しつつ、胴３８の上側の開口に風防ガラス３１を組み付けることで、アンテナ１０ａ，１０ｂと、導電ピン４１とが適切に接触する。
【００３７】
これまでに説明した例では、目印としての切欠き７５の数は２であるが、１であってもよい。また、風防ガラス３１の表側から視認される複数の目印が設けられる場合には、それぞれの目印がどの回転位置に対応するかを明確にするために、それぞれの目印の形状が、互いに異なってもよい。例えば、切欠き７５の形状がＶ字状、Ｕ字状などであってよい。この場合、インデックス７１がなくても目印に対応する回転位置を間違える可能性がなくなる。
【００３８】
ベゼル３２に設けられた上部目印７６の代わりに、胴３８に固定された部材を目印として用いてもよい。例えば、竜頭３６や文字板５１の記載を目印として、風防ガラス３１がベゼル３２に組み付けられてもよい。
【００３９】
ここで、切欠き７５の代わりに、目隠し層６１に設けられる貫通孔である開口部７２が目印として設けられてもよい。図６は、風防ガラス３１の他の一例を示す平面図である。図６は、風防ガラス３１の表側からみた場合の平面図である。また、図７は、図６に示す風防ガラス３１のVII−VII切断線における断面図である。
【００４０】
図６に示されるように、目隠し層６１のうち３時、６時、９時、１２時の方向の位置には、例えば数字状に中抜きした開口部７２が設けられており、風防ガラス３１の表側からはインデックス７１の代わりの時字としても視認される。また、目隠し層６１のうち開口部７２の下側には、開口部７２を覆うようにフィルター６６が設けられ、さらにフィルター６６の下側にアンテナ１０ａ，１０ｂが貼り付けられている。アンテナ１０ａ，１０ｂの一部は、目隠し層６１と接している。ここでフィルター６６は設けられていなくてもよい。フィルター６６がない場合、開口部７２の下側にあるアンテナ１０ａ，１０ｂの色（金属の反射）が見える。フィルター６６がある場合には、風防ガラス３１の表側から視認される色や見え方を自由に設計することが可能になる。
【００４１】
図６，７の例にかかる衛星電波腕時計１の製造工程は、図５Ａ，５Ｂを用いて説明された製造工程と異なり、インデックス７１を印刷する工程がなく、また目隠し層６１を印刷する工程とアンテナ１０ａ，１０ｂを貼り付ける工程の間にフィルター６６を印刷する工程が存在する。開口部７２は、フィルター６６を透過する光により、アンテナ１０ａ，１０ｂを貼り付ける工程において位置合わせの目印として用いられる。また、開口部７２は、風防ガラス３１をベゼル３２または胴３８に組み付ける工程において位置合わせの目印として用いられる。
【００４２】
図８は、風防ガラス３１、インデックス７１、目隠し層６１、アンテナ１０ａ，１０ｂの配置の他の一例を説明する図である。図８は、図３に対応する図であり、風防ガラス３１、インデックス７１、目隠し層６１、アンテナ１０ａ，１０ｂの上下方向の順序を示す。図８の例では、図６，７の例と異なり、目隠し層６１に設けられた貫通孔である開口部７３の上には、その開口部７３を覆うようにインデックス７１が配置されている。インデックス７１の下側の色は、目隠し層６１と異なっている。
【００４３】
図８の例にかかる衛星電波腕時計１の製造工程は、図５Ａ，５Ｂを用いて説明された製造工程とは以下の点が異なる。一つ目の違いは、アンテナ１０ａ，１０ｂを貼り付ける工程において、孔状の開口部７３が位置合わせの目印として用いられる点である。なお、目隠し層６１とインデックス７１の下側の色の違いにより、風防ガラス３１の裏側から開口部７３の位置を容易に視認できる。二つ目の違いは、風防ガラス３１をベゼル３２または胴３８に組み付ける工程において、インデックス７１が位置合わせの目印として用いられる点である。インデックス７１には、正確な位置合わせのために、インデックス７１の他の部分と色が異なる微小な目印を含んでよい。図８の例では、裏から視認されアンテナ１０ａ，１０ｂの貼り付けに用いられる目印と、表側から視認され風防ガラス３１の組み付けに用いられる目印とが異なっている。しかし、インデックス７１と目隠し層６１とが印刷される際には、風防ガラス３１が風防ガラス３１の固定位置が特定可能な治具に固定されているため、インデックス７１と目隠し層６１との間の位置ずれは十分に抑えられる。これにより、工程により用いられる目印が異なっていても、アンテナ１０ａ，１０ｂと、導電ピン４１とを適切に接触させることが可能になる。
【００４４】
図９は、風防ガラス３１、インデックス７１、目隠し層６１、アンテナ１０ａ，１０ｂの配置の他の一例を説明する図である。図１０は、図９にかかる風防ガラス３１を下側からみた平面図である。図９は、図８の例と異なり、開口部７３の代わりに切欠き７５が設けられ、かつ切欠き７５の上に、その切欠き７５を覆うようにインデックス７１が配置されている。図９の例では、切欠き７５の大きさはインデックス７１より小さく、表面から見て切欠き７５がインデックス７１により隠されるようになっている。また、インデックス７１の下側の色は、目隠し層６１と異なっている。図８の例にかかる衛星電波腕時計１の製造工程は図８の例と同様であるが、アンテナ１０ａ，１０ｂを貼り付ける工程において開口部７３の代わりに切欠き７５が用いられる点が異なる。図９の例では、表側から視認される際に、切欠き７５のような目印を目立たせないことができる。
【００４５】
ここで、インデックス７１に示される文字の一部に開口部７４を設けてもよい。図１１は、インデックス７１の他の一例を示す図である。インデックス７１の文字の領域の内にある開口部７４は、風防ガラス３１をベゼルまたは胴３８に組み付ける工程において、位置合わせの目印として用いられる。また、切欠き７５と組み合わせることで、開口部７４は風防ガラス３１の裏側からも視認がされる。これにより、開口部７４はアンテナ１０ａ，１０ｂを貼り付ける工程において、目印として用いられる。また、開口部７４の代わりにインデックス７１の一部の領域に両面から視認され、他の領域と異なる色のドットを目印として印刷してもよい。開口部７４の代わりにドットが、アンテナ１０ａ，１０ｂを貼り付ける工程や風防ガラス３１をベゼル３２等に組み付ける工程で位置合わせに用いられる。
【００４６】
また、アンテナ１０ａ，１０ｂの位置合わせのためのアンテナ用目印を、目隠し層６１の下側に配置してもよい。図１２は、風防ガラス３１の他の一例を示す平面図である。図１２は、裏側から見た風防ガラス３１を示す平面図である。図１３は、図１２に示す風防ガラス３１のXIII−XIII切断線における断面図である。図１２，１３の例では、風防ガラス３１の裏側の面には、図示しないインデックス７１が設けられており、インデックス７１は表側から視認できる目印である。一方、目隠し層６１の下側には、平面視でアンテナ１０ａ，１０ｂを囲む形状を有するガイド領域７９が印刷されている。このガイド領域７９がアンテナ用目印となる。なお、ガイド領域７９は、円弧状でなくてもよい。例えば、ガイド領域７９は、アンテナ１０ａ，１０ｂの端部の周りのみに付されていてもよい。またアンテナ１０ａ，１０ｂは、ガイド領域７９の下側に貼り付けられている。目隠し層６１は、切欠き７５や孔を有さない円環状の形状を有する。
【００４７】
図１４Ａ，１４Ｂは、衛星電波腕時計１の製造工程の他の一例を説明する平面図である。図５Ａ，５Ｂの例と同じく、はじめに、風防ガラス３１を風防ガラス３１が固定された位置が特定可能な治具に固定し、風防ガラス３１の裏側の面にインデックス７１を印刷する（図５Ａ参照）。次に、インデックス７１が印刷された風防ガラス３１の裏側の面に目隠し層６１を印刷する（図１４Ａ参照）。
【００４８】
次に、風防ガラス３１が治具に固定された状態で、目隠し層６１の上にガイド領域７９を印刷する（図１４Ｂ参照）。ガイド領域７９は、次の工程において、アンテナ１０ａ，１０ｂを貼り付ける位置を示す目印である。インデックス７１、目隠し層６１およびガイド領域７９を印刷する工程のいずれも、同じ治具に固定されている。これにより、インデックス７１、目隠し層６１およびガイド領域７９は、一定の位置関係を有する。ガイド領域７９が印刷されたら、治具から風防ガラス３１を取り外す。
【００４９】
次に、ガイド領域７９を位置合わせの目印として利用しつつ、そのガイド領域７９の上にアンテナ１０ａ，１０ｂを貼り付ける。図１２に示される風防ガラス３１は、本工程が終わった状態のものと同じである。この工程ではアンテナ１０ａ，１０ｂとガイド領域７９とは、互いに一定の位置関係を有するように配置される。
【００５０】
そして、インデックス７１を位置合わせの目印として利用しつつ、ベゼル３２に風防ガラス３１を組み付ける。これにより、風防ガラス３１はベゼル３２と所定の位置関係となるように組み付けられる。これにより、目隠し層６１を有していても、アンテナ１０ａ，１０ｂと、導電ピン４１とを適切に接触させることが可能になる。
【００５１】
なお、アンテナ１０ａ，１０ｂを目隠し層６１に配置する工程において、アンテナ用目印の代わりに、目隠し層６１の印刷の際に風防ガラス３１を固定する治具を用いることで位置合わせをしてもよい。例えば治具に目印を付し、風防ガラス３１が治具に固定された状態で、その目印に基づいてアンテナ１０ａ，１０ｂを配置してもよい。その治具の目印を位置合わせに用いることで、アンテナ１０ａ，１０ｂと表側から視認できる目印とが所定の位置関係を有する。
【００５２】
［第２の実施形態］
胴３８にベゼル３２を組み付ける前に、ベゼル３２に風防ガラス３１を組み付ける場合にも本発明を適用できる。以下では主に、この場合についての第２の実施形態について、他の実施形態との相違点を中心に説明する。
【００５３】
図１５は、本発明の第２の実施形態にかかる衛星電波腕時計１の外観の一例を示す平面図であり、図１６は、図１５に含まれるベゼル３２および風防ガラス３１を裏側からみた平面図である。また、図１７は、図１５に示される衛星電波腕時計１のXVII−XVII切断線における断面図である。
【００５４】
第２の実施形態にかかる衛星電波腕時計１では、風防ガラス３１の裏側に設けられる目隠し層６１は円環状であり、回転位置を示す目印となるインデックス７１や孔は設けられていない。また、ベゼル３２の表側の面のうち特定の回転位置（例えば１２時の方向）を示す領域に上部目印７６が付されており、さらに胴３８の外側の表面のうち、特定の回転位置（例えば上部目印７６と同じ方向）を示す領域に、外装目印７８が設けられている。また、ベゼル３２の裏側の面（外から見えない面）であって、かつ風防ガラス３１が組み付けられる開口の外側には、上部目印７６と所定の位置関係を有する箇所に下部目印７７が付されている。上部目印７６および下部目印７７は、ベゼル３２の回転位置を示し、外装目印７８は、胴３８の回転位置を示している。
【００５５】
また、胴３８の内側には、文字板５１等を含むムーブメント８２が固定されており、そのムーブメント８２から導電ピン４１が上に向かって延びている。目隠し層６１の下側に貼り付けられているアンテナ１０ａ，１０ｂは、導電ピン４１と接している。
【００５６】
次に、図１５から１７に示される衛星電波腕時計１の製造工程について説明する。図１８Ａから図１８Ｄは、衛星電波腕時計１の製造工程の一例を説明する図である。はじめに、ベゼル３２の表側に上部目印７６とインデックス８１とを印刷し（図１８Ａ参照）、さらに、ベゼル３２の裏側に下部目印７７を付す。この工程において、例えば予めベゼル３２を治具に固定すれば、上部目印７６と、下部目印７７とを、互いに所定の位置関係を有するように配置することができる。
【００５７】
次に、風防ガラス３１をベゼル３２に組み付ける（図１８Ｂ参照）。この工程では、風防ガラス３１の回転位置を調整する必要はない。そして、ベゼル３２に組み付けられた風防ガラス３１の裏側の面に目隠し層６１を印刷し、また、下部目印７７を目印として用いつつアンテナ１０ａ，１０ｂを目隠し層６１と重なるように貼り付ける（図１８Ｃ参照）。これらの工程により、ベゼル３２とアンテナ１０ａ，１０ｂ付の風防ガラス３１とを含むベゼル組立体が形成される（図１８Ｄ参照）。
【００５８】
次の工程では、ベゼル３２を胴３８に組み付ける。この工程においては、ベゼル３２に付された上部目印７６と、胴３８に付された外装目印７８とを位置合わせの目印として用いる。風防ガラス３１とベゼル３２とは所定の位置関係を有するため、上部目印７６は風防ガラス３１の回転位置も示している。これにより、風防ガラス３１とベゼル３２とを含むベゼル組立体と胴３８とが、所定の位置関係を有する。なお、ベゼル３２を胴３８に組み付ける工程において、上部目印７６の代わりにインデックス８１を位置合わせの目印としてもよいし、外装目印７８の代わりに胴３８に固定された部材（竜頭３６など）を位置合わせの目印として用いてもよい。
【００５９】
ここで説明した製造方法においても、アンテナ１０ａ，１０ｂの位置と、胴３８の位置とが所定の位置関係を有するように組み立てることができ、目隠し層６１を有していても、アンテナ１０ａ，１０ｂと、導電ピン４１とを適切に接触させることが可能になる。
【００６０】
ここで、風防ガラス３１をベゼル３２に組み付ける前に、風防ガラス３１に目隠し層６１を付しさらに目隠し層６１の上にアンテナ１０ａ，１０ｂを配置してもよい。図１９Ａ，１０Ｂは、衛星電波腕時計１の製造工程の他の一例を説明する図である。
【００６１】
この製造工程では、はじめに、風防ガラス３１の裏側の面に目隠し層６１を印刷し、また、円環でないアンテナ１０ａ，１０ｂを風防ガラス３１の周縁に沿いかつ目隠し層６１と重なるように貼り付ける（図１９Ａ参照）。この、目隠し層６１の印刷やアンテナ１０ａ，１０ｂの貼り付けの工程では、風防ガラス３１の回転位置を調整する必要はない。ただし、これらの工程においても、目隠し層６１やアンテナ１０ａ，１０ｂの風防ガラス３１の外周端からの距離や、アンテナ１０ａとアンテナ１０ｂとの回転方向の位置関係については調整している。
【００６２】
また、上記工程と並行して、上部目印７６と、下部目印７７とが互いに所定の位置関係を有するように、ベゼル３２に上部目印７６と下部目印７７とを付す。上部目印７６はベゼル３２の回転位置を示し、下部目印７７は上部目印７６と所定の位置関係を有する。この工程は図１８Ａについて説明されたものと同様である。
【００６３】
そして、風防ガラス３１をベゼル３２に組み付ける（図１９Ｂ参照）。この工程においては、アンテナ１０ａ，１０ｂの位置と、ベゼル３２に設けられた下部目印７７とを位置合わせの目印として利用する。これにより、アンテナ１０ａ，１０ｂと、下部目印７７とが所定の位置関係を有するようになる。これらの工程により、ベゼル３２とアンテナ１０ａ，１０ｂ付の風防ガラス３１とを含むベゼル組立体が形成される。このベゼル組立体の形状は、図１８Ｄに示されるものと同様である。次に、ベゼル３２に付された上部目印７６と、胴３８に付された外装目印７８とを位置合わせの目印として用いつつ、ベゼル３２を胴３８に組み付ける。これにより、ベゼル３２が胴３８と所定の位置関係となるように組み付けられる。
【００６４】
このような製造方法であっても、アンテナ１０ａ，１０ｂと、導電ピン４１とを適切に接触させることが可能になる。
【符号の説明】
【００６５】
１  衛星電波腕時計、１０ａ，１０ｂ  アンテナ、３１  風防ガラス、３２  ベゼル、３３，３７  パッキン、３４  見返しリング、３６  竜頭、３８  胴、３９  裏蓋、４１  導電ピン、４３  配線基板、４７  回路基板、５１  文字板、５２ａ  時針、５２ｂ  分針、５２ｃ  秒針、５３  ソーラーセル、５４  地板、６１  目隠し層、６６  フィルター、７１，８１  インデックス、７２，７３，７４  開口部、７５  切欠き、７６  上部目印、７７  下部目印、７８  外装目印、７９  ガイド領域、８２  ムーブメント。
【図１】
2018021773.tif 000003
【図２】
2018021773.tif 000004
【図３】
2018021773.tif 000005
【図４】
2018021773.tif 000006
【図５Ａ】
2018021773.tif 000007
【図５Ｂ】
2018021773.tif 000008
【図６】
2018021773.tif 000009
【図７】
2018021773.tif 000010
【図８】
2018021773.tif 000011
【図９】
2018021773.tif 000012
【図１０】
2018021773.tif 000013
【図１１】
2018021773.tif 000014
【図１２】
2018021773.tif 000015
【図１３】
2018021773.tif 000016
【図１４Ａ】
2018021773.tif 000017
【図１４Ｂ】
2018021773.tif 000018
【図１５】
2018021773.tif 000019
【図１６】
2018021773.tif 000020
【図１７】
2018021773.tif 000021
【図１８Ａ】
2018021773.tif 000022
【図１８Ｂ】
2018021773.tif 000023
【図１８Ｃ】
2018021773.tif 000024
【図１８Ｄ】
2018021773.tif 000025
【図１９Ａ】
2018021773.tif 000026
【図１９Ｂ】
2018021773.tif 000027